(57)【要約】  【課題】設定済みの設定項目をタブとして表示し、選択可能とすることで、設定の全体像や現在の位置の把握を容易なものとし、設定内容の変更における利便性を向上させる。  【解決手段】表示入力装置は、実行可能な複数種の機能を設定項目として表示する表示部と、設定項目を選択する入力や、表示部の表示内容に対する入力を受け付ける入力部と、入力部への入力を把握し、表示部の表示を制御する表示制御部と、を備え、表示制御部は、設定済みの設定項目を示すタブを、設定された順に並べて表示部に表示させ、入力部によりタブを選択する入力が受け付けられるとタブに対応する設定項目の設定画面を表示部に表示させる。【選択図】図８
2011175330.tif 000002
【特許請求の範囲】
【請求項１】
実行可能な複数種の機能を設定項目として表示する表示部と、
前記設定項目を選択する入力や、前記表示部の表示内容に対する入力を受け付ける入力部と、
前記入力部への入力を把握し、前記表示部の表示を制御する表示制御部と、を備え、
前記表示制御部は、設定済みの前記設定項目を示すタブを、設定された順に並べて前記表示部に表示させ、前記入力部により前記タブを選択する入力が受け付けられると、前記タブに対応する前記設定項目の設定画面を前記表示部に表示させることを特徴とする表示入力装置。
【請求項２】
前記表示制御部は、それぞれの前記設定項目の前記設定画面における前記設定値の設定によって、予め禁止と定められた設定の組み合わせの関係である禁則関係が生じた場合、禁則関係にある前記設定項目の前記タブと、禁則関係にない前記設定項目の前記タブとを異ならせて前記表示部に表示させることを特徴とする請求項１記載の表示入力装置。
【請求項３】
前記表示制御部は、前記設定項目の選択及び設定値の設定がなされると、新たな設定の追加の必要性の有無を判断し、新たな設定の追加が必要と判断した場合、追加して設定を行うための追加設定用タブを前記表示部に表示させ、前記入力部により前記追加設定用タブを選択する入力が受け付けられると、追加設定用タブに対応する前記設定項目の設定画面を前記表示部に表示させることを特徴とする請求項１又は２に記載の表示入力装置。
【請求項４】
前記表示部は、前記禁則関係にある前記設定項目のタブ及び前記追加設定用タブを点滅させ、及び／又は、前記禁則関係にある前記設定項目のタブ及び前記追加設定用タブ以外の前記タブと表示色を異ならせることを特徴とする請求項３記載の表示入力装置。
【請求項５】
前記入力部への入力に基づき呼び出され、予め複数の設定項目の中から選択され、登録された前記設定項目の組み合わせであり、呼び出すことにより予め選択、登録された前記設定項目を設定するための画面を前記表示部に表示させるプログラムを記憶する記憶部を備え、
前記表示部は、前記プログラムが呼び出された際に、設定済みの前記設定項目を示すタブを、設定された順に並べて表示することを特徴とする請求項１乃至４の何れか１項に記載の表示入力装置。
【請求項６】
前記表示部は、通常の利用の設定中及び前記プログラムの作成中、設定済みの前記設定項目を示すタブを、設定された順に並べて前記表示部に表示することを特徴とする請求項５記載の表示入力装置。
【請求項７】
前記表示部は、設定済みの前記設定項目を示す文字を前記タブに含めて表示することを特徴とする請求項１乃至６の何れか１項に記載の表示入力装置。
【請求項８】
実行可能な複数種の機能を設定項目として表示する表示部と、
前記設定項目を選択する入力や、前記表示部の表示内容に対する入力を受け付ける入力部と、
前記入力部への入力を把握し、前記表示部の表示を制御する表示制御部と、を備え、
前記表示制御部は、前記設定項目内の設定済みの階層を示すタブを、階層順に並べて前記表示部に表示させ、前記入力部により前記タブを選択する入力が受け付けられると、タブに対応する画面を前記表示部に表示させることを特徴とする表示入力装置。
【請求項９】
請求項１乃至請求項８の何れか１項に記載の表示入力装置を有することを特徴とする画像形成装置。
【発明の詳細な説明】
【技術分野】
【０００１】
本発明は、表示部と、タッチパネル等の入力部を有する表示入力装置、及び、これを備えた複写機、複合機、プリンタ、ＦＡＸ装置等の画像形成装置に関する。
【背景技術】
【０００２】
例えば、複写機、複合機等の画像形成装置等、各種電気・電子機器では、多機能化が進められている。多くの機能のうち、設定したい機能を選び、できるだけ簡易に機能の設定を行えるようにするため、例えば、液晶表示部やタッチパネルを備えた画面付きの表示入力装置が設けられることがある。しかし、設定する項目（機能）が多くなる場合や、深い階層まで下って設定する場合等、設定の全体像が把握し辛くなる場合もある。そうすると、現在位置の位置づけや、目的とする設定画面の位置等、使用者が設定でとまどうことがある。
【０００３】
このような使用者の困惑を考慮した発明が特許文献１に記載されている。特許文献１には、操作表示部と、階層化された複数の設定画面をその階層構造に従って順次操作表示部に表示する制御手段を備え、制御手段は、階層化された複数の設定画面を階層構造に従って順次操作表示部に表示する際、各階層で設定すべき設定項目の少なくとも一つ以上を階層構造に対応させて各設定画面の一部に常に表示する画像形成装置が記載されている。この構成により、各階層の設定画面で、上位階層で何を設定したか、現在の設定が全体で行うべき設定のどこに位置付けられているか等を把握できるようにしようとする（特許文献１：請求項１、段落［００１７］、図４等参照）。
【先行技術文献】
【特許文献】
【０００４】
【特許文献１】特開２００６−０２３４５４号公報
【発明の概要】
【発明が解決しようとする課題】
【０００５】
上述のように、複合機等では、多機能化が進み、コピーや、画像データの送信等で、一度に多数の機能（設定項目）について設定した上で、印刷や送信のジョブを行うことがある。この場合、多数の設定項目の選択や、設定項目内の設定値の設定が進むと、今まで何項目、設定項目を選択したか等、設定の全体像が把握しづらくなるという問題がある。
【０００６】
尚、特許文献１記載の発明は、階層化された設定画面で、使用者がどの階層にいるかを把握することはできる。しかし、特許文献１記載の発明は、上位の階層から下位の階層に降りてゆく場合のみ有効である。そして、例えば、設定項目（機能）の選択は、一覧表示されたものの中から選択する等、必ずしも上位から下位の階層に降りる際に選択されるとは限らない。そのため、特許文献１記載の発明では、縦方向（階層の上下方向）の現在位置の把握にしか対応できず、多数の設定項目の選択等の設定が進むと、設定の全体像が把握しづらくなるという問題を解決できない。
【０００７】
又、使用者は、複数の設定項目の設定を行う場合、設定済みの設定項目の設定値の変更や、設定項目の選択解除を行いたい場合など、既に設定した内容を変更したい場合が生ずる。従来、既に設定した内容を変更したい場合、変更や選択解除を行いたい設定項目を再度選択し、使用者が再度設定入力を行う必要があり、二度手間で煩わしく、利便性の点で問題がある。
【０００８】
尚、特許文献１記載の発明は、階層化された設定画面で、使用者がどの階層にいるかを示すのみである。従って、既に設定した内容を変更したい場合、逐一、設定をやり直す必要があり、利便性の点で好ましいとは言えない。
【０００９】
本発明は、上記従来技術の問題点に鑑みてなされたものであり、設定済みの設定項目をタブとして表示し、選択可能とすることで、設定の全体像や現在の位置の把握を容易なものとし、設定内容の変更における利便性を向上させることを課題とする。
【課題を解決するための手段】
【００１０】
上記課題解決のため、請求項１に係る表示入力装置は、実行可能な複数種の機能を設定項目として表示する表示部と、前記設定項目を選択する入力や、前記表示部の表示内容に対する入力を受け付ける入力部と、前記入力部への入力を把握し、前記表示部の表示を制御する表示制御部と、を備え、前記表示制御部は、設定済みの前記設定項目を示すタブを、設定された順に並べて前記表示部に表示させ、前記入力部により前記タブを選択する入力が受け付けられると、前記タブに対応する前記設定項目の設定画面を前記表示部に表示させることとした。
【００１１】
この構成によれば、設定済みの設定項目を示すタブが、設定された順に並べて表示される。これにより、今まで行った設定項目の個数を把握することができる。従って、設定の全体像や、使用者が意図する設定のうち、どれくらい設定が完了したか等の現在位置の把握が容易となる。
【００１２】
又、タブを選択する入力が受け付けられると、タブに対応する設定項目の設定画面が表示部に表示される。これにより、タブの選択入力を行うだけで、変更を意図する設定の設定画面に飛ぶことができる。従って、容易に設定の変更を行えるので、設定内容の変更における利便性を向上させることができる。
【００１３】
又、請求項２に係る発明は、請求項１の発明において、前記表示制御部は、それぞれの前記設定項目の前記設定画面における前記設定値の設定によって、予め禁止と定められた設定の組み合わせの関係である禁則関係が生じた場合、禁則関係にある前記設定項目の前記タブと、禁則関係にない前記設定項目の前記タブとを異ならせて前記表示部に表示させることとした。
【００１４】
この構成によれば、禁則関係が生じた場合、禁則関係にあるタブは、禁則関係にないタブと異なって表示される。これにより、使用者に設定で問題が生じたことを知らせることができる。従って、使用者は、どこで禁則関係が生じたかを容易に把握できる。又、使用者は問題を解決する際、禁則関係として表示されたタブを選択することで、禁則関係にある設定項目の設定画面を速やかに表示させることができる。従って、使用者は、禁則関係を解消する設定を速やかに行うことができる。
【００１５】
尚、禁則関係とは、例えば、後処理装置で後処理（例えば、ステープル処理等）を行う設定がなされているのに、用紙の排出先が後処理装置以外の場所に設定された場合など、適切な処理、ジョブを行う上で、それぞれの設定項目の設定画面における設定値の設定によって、予め禁止と定められた設定の組み合わせの関係であり、例えば、予め、禁則関係を定めたデータが記憶部に記憶される。
【００１６】
又、請求項３に係る発明は、請求項１又は２の発明において、前記表示制御部は、前記設定項目の選択及び設定値の設定がなされると、新たな設定の追加の必要性の有無を判断し、新たな設定の追加が必要と判断した場合、追加して設定を行うための追加設定用タブを前記表示部に表示させ、前記入力部により前記追加設定用タブを選択する入力が受け付けられると、追加設定用タブに対応する前記設定項目の設定画面を前記表示部に表示させることとした。
【００１７】
例えば、見開き原稿（ブック原稿）などの特定種の原稿を読み取る場合の原稿載置方向など、設定項目の選択と設定値の設定に応じ、適切に処理、ジョブを実行する上で、新たな設定が必要になる場合がある。そこで、この構成によれば、新たな設定の追加が必要と判断された場合、追加設定用タブが表示され、追加設定用タブを選択する入力が受け付けられると、追加設定用タブに対応する設定項目の設定画面が表示部に表示される。これにより、使用者は、新たな設定が必要な未設定の設定項目を自ら探し出すことなく、容易に追加設定を行うことができる。従って、適切な処理、ジョブを行ううえで、必要な設定が漏れなく行われるように、使用者を補助することができる。
【００１８】
又、請求項４に係る発明は、請求項３の発明において、前記表示部は、前記禁則関係にある前記設定項目のタブ及び前記追加設定用タブを点滅させ、及び／又は、前記禁則関係にある前記設定項目のタブ及び前記追加設定用タブ以外の前記タブと表示色を異ならせることとした。
【００１９】
この構成によれば、禁則関係にある設定項目のタブや追加設定用タブは、点滅し、及び／又は、他のタブと表示色を変えて表示される（例えば、赤色で点滅）。これにより、使用者は、禁則関係にある設定項目のタブや、追加的な設定の必要なタブを直ちに見分けることができる。
【００２０】
又、請求項５に係る発明は、請求項１乃至４の発明において、前記入力部への入力に基づき呼び出され、予め複数の設定項目の中から選択され、登録された前記設定項目の組み合わせであり、呼び出すことにより予め選択、登録された前記設定項目を設定するための画面を前記表示部に表示させるプログラムを記憶する記憶部を備え、前記表示部は、前記プログラムが呼び出された際に、設定済みの前記設定項目を示すタブを、設定された順に並べて表示することとした。
【００２１】
この構成によれば、プログラムが呼び出された際、設定済みの設定項目を示すタブが設定順に並べて表示される。これにより、プログラムを呼び出した際の設定でも、プログラムでの全体像や、現在位置の把握が容易となる。又、プログラムを呼び出した際の設定でも、タブの選択で変更を意図する設定項目の設定画面に飛ぶことができ、設定内容の変更における利便性を向上させることができる。
【００２２】
又、請求項６に係る発明は、請求項５の発明において、前記表示部は、通常の利用の設定中及び前記プログラムの作成中、設定済みの前記設定項目を示すタブを、設定された順に並べて前記表示部に表示することとした。
【００２３】
この構成によれば、プログラムの作成中、設定済みの設定項目を示すタブが、設定順に並べて表示される。これにより、プログラムの作成中でも、プログラムでの全体像や、現在位置の把握が容易となる。又、プログラムの作成中でも、タブの選択で変更を意図する設定の設定画面に飛ぶことができ、設定内容の変更における利便性を向上させることができる。
【００２４】
又、請求項７に係る発明は、請求項１乃至６の発明において、前記表示部は、設定済みの前記設定項目を示す文字を前記タブに含めて表示することとした。
【００２５】
この構成によれば、設定済みの設定項目を示す文字がタブに含めて表示される。これにより、使用者は、タブがどの設定項目に対応しているか、容易に認識することができる。
【００２６】
又、請求項８に係る表示入力装置は、実行可能な複数種の機能を設定項目として表示する表示部と、前記設定項目を選択する入力や、前記表示部の表示内容に対する入力を受け付ける入力部と、前記入力部への入力を把握し、前記表示部の表示を制御する表示制御部と、を備え、前記表示制御部は、前記設定項目内の設定済みの階層を示すタブを、階層順に並べて前記表示部に表示させ、前記入力部により前記タブを選択する入力が受け付けられると、タブに対応する画面を前記表示部に表示させることとした。
【００２７】
この構成によれば、設定項目内の設定済みの階層を示すタブが、階層順に並べて表示部に表示され、タブを選択する入力が受け付けられると、タブに対応する設定画面が表示される。これにより、今まで遷移した階層数を把握することができる。従って、設定の全体像や、階層の上下における現在位置の把握が容易となる。又、タブの選択入力だけで、変更を意図する設定（階層）の設定画面に飛ぶことができる、設定内容の変更における利便性を向上させることができる。
【００２８】
又、請求項９に係る画像形成装置は、請求項１乃至８の何れか１項の記載の表示入力装置を備えることとした。
【００２９】
この構成によれば、画像形成装置での設定において、設定の全体像や現在の位置の把握が容易となり、設定内容の変更における利便性が高くなる。従って、設定での利便性が高く、操作が容易、簡易に行える画像形成装置を提供することができる。
【発明の効果】
【００３０】
上述したように、本発明によれば、設定済みの設定項目がタブとして表示される。これにより、設定での全体像や現在の位置の把握が容易となる。又、タブは、選択可能であり、タブが選択されることで、タブに対応する画面に飛ぶことができ、設定内容の変更における利便性を向上させることができる。
【図面の簡単な説明】
【００３１】
【図１】第１の実施形態に係る複合機の一例を示す正面模型的断面図である。
【図２】第１の実施形態に係る後処理装置の一例を示す正面模型的断面図である。
【図３】第１の実施形態に係る操作パネルの一例を示す平面図である。
【図４】第１の実施形態に係る複合機等のハードウェア構成の一例を示すブロック図である。
【図５】第１の実施形態に係るワークフローを選ぶ際の呼出画面の一例を示す説明図である。
【図６】ワークフローをウィザード形式で表示した際の設定の流れの一例を示す説明図である。
【図７】ワークフローをメニュー形式で表示した際のメニュー画面の一例を示す説明図である。
【図８】第１の実施形態に係る複合機での禁則発生時の禁則発生と報知と解消の一例を示す説明図である。
【図９】第１の実施形態に係る設定項目の自動追加の一例を示す説明図である。
【図１０】の第１の実施形態に係る操作パネルでのコピー機能の初期画面の一例を示す説明図である。
【図１１】第１の実施形態に係る複合機での設定項目の選択画面の一例を示す説明図である。
【図１２】通常設定時やワークフロー作成時のタブの表示の一例を示す説明図である。
【図１３】第１の実施形態に係るタブの表示制御の一例を示すフローチャートである。
【図１４】第２の実施形態に係るタブの表示の一例を示す説明図である。
【発明を実施するための形態】
【００３２】
以下、本発明の実施形態を図１〜図１４を用いて説明する。ここで、本発明は、各種表示入力装置に適用可能であるが、操作パネル１（表示入力装置に相当）を例に挙げ、複合機１００（画像形成装置に相当）に取り付けられた場合を例に挙げて説明する。但し、本実施の形態に記載されている構成、配置等の各要素は、発明の範囲を限定するものではなく単なる説明例にすぎない。
【００３３】
（画像形成装置の概略）
まず、図１と図２を用いて、本発明の第１の実施形態に係る複合機１００の概略を説明する。図１は本発明の第１の実施形態に係る複合機１００の一例を示す正面模型的断面図である。図２は、本発明の第１の実施形態に係る後処理装置２の一例を示す正面模型的断面図である。
【００３４】
図２に示すように、本実施形態の複合機１００（画像形成装置に相当）は、左側面に取り付けられたオプション装置としての後処理装置２を含む。後処理装置２は、複合機１００が印刷した用紙を取り込み、ステープル処理等の各種処理を行う。又、複合機１００の正面前方には、複合機１００に関して各種設定を行うための操作パネル１が設けられる（詳細は後述）。
【００３５】
図１に示すように、本実施形態の複合機１００は、上部に、画像読取部３と原稿搬送装置４が設けられる。複合機１００は、本体内部に、給紙部５ａ、搬送路５ｂ、画像形成部６、中間転写部７ａ、定着部７ｂ、排出搬送部８ａ、両面搬送路８ｂ等を備える。
【００３６】
原稿搬送装置４は、読み取る原稿を載置する原稿トレイ４１を有する。そして、原稿搬送装置４は、原稿トレイ４１から原稿を１枚ずつ、自動的に連続して読取位置（送り読取用コンタクトガラス３１）に搬送する。又、原稿搬送装置４は、図１の紙面奥側を支点として画像読取部３に上下方向に開閉自在に取り付けられ、画像読取部３のコンタクトガラス（送り読取用コンタクトガラス３１及び載置読取用コンタクトガラス３２）を上方から押さえるカバーとして機能する。
【００３７】
次に、画像読取部３は、図１に示すように、上面に送り読取用コンタクトガラス３１と書籍等の原稿を１枚ずつ読み取る際に原稿を載置する載置読取用コンタクトガラス３２が配される。画像読取部３内には、ランプ、ミラー、レンズ、イメージセンサ等（不図示）が配される。イメージセンサは、送り読取用コンタクトガラス３１を通過する原稿、あるいは、載置読取用コンタクトガラス３２に載置された原稿の反射光を元に、原稿を読み取る。そして、イメージセンサは、反射光を画像濃度に応じたアナログの電気信号に変換し、その後、量子化を行い、原稿の画像データが得られる。尚、本実施形態の画像読取部３は、カラーでも読み取り可能であり、白黒でも読み取り可能である。
【００３８】
複合機１００本体内の複数の給紙部５ａは、それぞれ、各サイズ（例えば、Ａ４、Ｂ４等のＡ型、Ｂ型用紙等）、各種用紙（例えば、コピー用紙、再生紙、厚紙、ＯＨＰシート等）を複数枚収容する。各給紙部５ａは、それぞれ回転駆動する給紙ローラ５１を備え、印刷時、１枚ずつ搬送路５ｂに用紙を送り込む。
【００３９】
搬送路５ｂは、給紙部５ａから画像形成部６まで装置内で用紙を搬送する通路である。そして、搬送路５ｂには、用紙の案内のためのガイド板や、用紙搬送時に回転駆動する搬送ローラ対５２（図３おいて、上方から５２Ａ、５２Ｂ、５２Ｃの計３つ）や、搬送される用紙を画像形成部６の手前で待機させ、形成されたトナー像の転写タイミングに合わせ用紙を送り出すレジストローラ対５３等が設けられる。
【００４０】
画像形成部６は、複数の画像形成ユニット６０（ブラック用の６０Ｂｋ、イエロー用の６０Ｙ、シアン用の６０Ｃ、マゼンタ用の６０Ｍ）と露光装置６１を含む。露光装置６１は、画像読取部３で読み取られた画像データや後述の記憶装置９２に記憶される画像データ等に基づき、レーザ光を点消灯しつつ出力し、各感光体ドラムを走査露光する。画像形成ユニット６０は、回転駆動可能に支持された感光体ドラムや、感光体ドラムの周囲に配設された帯電装置、現像装置、清掃装置等を備える。そして、各画像形成ユニット６０と露光装置６１によって、感光体ドラムの周面上にトナー像が形成される。
【００４１】
中間転写部７ａは、各画像形成ユニット６０からトナー像の１次転写を受け、シートに２次転写を行う。中間転写部７ａは、各１次転写ローラ７１Ｂｋ〜７１Ｍ、中間転写ベルト７２、駆動ローラ７３、複数の従動ローラ７４、２次転写ローラ７５、ベルト清掃装置７６等で構成される。各１次転写ローラ７１Ｂｋ〜７１Ｍは、対応する感光体ドラムと無端状の中間転写ベルト７２を挟み込む。各１次転写ローラ７１Ｂｋ〜７１Ｍには、転写用電圧が印加され、トナー像は中間転写ベルト７２に転写される。
【００４２】
中間転写ベルト７２は、駆動ローラ７３等に張架され、モータ等の駆動機構（不図示）に接続される駆動ローラ７３の回転駆動により周回する。中間転写ベルト７２は、又、駆動ローラ７３は、２次転写ローラ７５とで中間転写ベルト７２を挟み込む。各画像形成ユニット６０で形成されたトナー像（ブラック、イエロー、シアン、マゼンタの各色）は、順次、ずれなく重畳して中間転写ベルト７２に１次転写された後、所定の電圧を印加された２次転写ローラ７５により、用紙に転写される。
【００４３】
定着部７ｂは、用紙に転写されたトナー像を定着させる。定着部７ｂは、主として、発熱体を内蔵する加熱ローラ７７とこれに圧接する加圧ローラ７８で構成される。そして、用紙が、加熱ローラ７７と加圧ローラ７８のニップを通過すると、トナーが溶融・加熱され、トナー像が用紙に定着する。定着部７ｂから排出された用紙は、排出トレイ８１又は後処理装置２方向に送られる。
【００４４】
排出搬送部８ａは、印刷済の用紙を後処理装置２方向、排出トレイ８１方向、両面搬送路８ｂ方向への用紙搬送方向の仕分けを行う。そして、排出搬送部８ａには、用紙を後処理装置２に向けて送り出す排出ローラ対８２と、排出トレイ８１方向に送り出す、或いは、両面印刷のため逆回転しスイッチバックを行う排出ローラ対８３を有する。各排出ローラ対８２、８３は、回転駆動する。又、排出搬送部８ａは、用紙の搬送方向を切り替えるため、例えば、２つの切替弁８４、８５を有する。各切替弁８４、８５は回動し、操作パネル１等で指定された排出先に導き、或いは、両面印刷の際、片面印刷済みの用紙を両面搬送路８ｂに導く。
【００４５】
両面搬送路８ｂは、定着部７ｂの下流側と、レジストローラ対５３の上流側とを結ぶ。両面搬送路８ｂには、両面印刷のため、回転駆動する複数の両面搬送ローラ対８６（８６Ａ、８６Ｂ、８６Ｃの計３つ）が設けられ、片面印刷済の用紙が搬送される。
【００４６】
（後処理装置２）
図２に示すように、後処理装置２内には、用紙束を一時的に蓄えるスタック部２１、穿孔処理を行うパンチ部２２、スタック部２１の用紙束に対し、ステープル処理を行うステープル部２３（スタック方向から見て用紙先端側をステープル）、ステープル部２４（用紙後端側をステープル）、中折ユニット２５などが備えられる。スタック部２１は複数枚の用紙を積み重ねて束とする処理を行う。中折ユニット２５は、中綴じステープル部２５１を含み、中綴じステープル部２５１による処理により中央綴じされた用紙束を中央でステープルに沿って折り曲げる。
【００４７】
具体的に、後処理装置２での各処理を説明する。まず、複合機１００から後処理装置２に向けて排出された印刷済用紙は、後処理装置２の側面に設けられた搬入口２６を通って後処理装置２内に搬入される。又、搬入口２６の下流には、パンチ部２２が設けられる。パンチ部２２は、用紙に穿孔処理を行う。そして、パンチ部２２の下流には、回転駆動して用紙を搬送する搬送ローラ対２７Ａ、２７Ｂと、用紙の搬送先にあわせて回動する案内爪２８が設けられる。操作パネル１への入力等で、ステープル処理等を行う選択されている場合、案内爪２８は用紙を案内爪２８下方のスタック部２１に送り込むように回動する。その結果、用紙は、スタック部２１に向けて搬送される。尚、折曲処理を行う場合は、用紙は、スタック部２１でスタックされた後、更に下方の中折ユニット２５に向けて搬送される。
【００４８】
一方、穿孔処理やステープル処理等を行う選択がなされていない場合（後処理装置２で何ら処理を行わせない場合）や、操作パネル１で排出先を副排出トレイ２１０に設定した場合など、案内爪２８は、例えば、用紙を案内爪２８の上方の排出ローラ対２９に送り込むように回動する。その結果、用紙は、排出ローラ対２９から、副排出トレイ２１０に排出される。
【００４９】
スタック部２１はカバートレイ２１Ａ及びスタックトレイ２１Ｂからなる。そして、搬送されてきた用紙は、カバートレイ２１Ａとスタックトレイ２１Ｂとの間に通される。用紙はスタックトレイ２１Ｂの上面に積み重ねられる。カバートレイ２１Ａは、用紙束を上方から押さえるカバーとして機能する。スタックトレイ２１Ｂには、搬送されてきた用紙を受け止めるストッパ２１Ｃが設けられる。ストッパ２１Ｃは上下動し、スタックされた用紙束を上方、又は、下方に搬送する。
【００５０】
そして、スタック部２１に付随して、用紙の先端側（スタックされた用紙の下方側）をステープルするステープル部２３と、用紙の後端側（スタックされた用紙の上方側）をステープルするステープル部２４が設けられる。各ステープル部２３、２４は、例えば、用紙束の先端の一方の隅を斜め４５°に１箇所綴じる斜め綴じや、用紙束の１辺につき２点を綴じる２点綴じなどを行う。そして、スタック部２１は、ステープル処理等が施された用紙束を上方へと搬送し、主排出トレイ２１１に排出する。
【００５１】
スタック部２１の下方に、中折ユニット２５が配置される。操作パネル１への入力等で、折曲処理が選択されている場合、スタック部２１で一旦スタックされた用紙束は、中折ユニット２５に向けて搬送される。スタック部２１から中折ユニット２５の搬送経路の途中に、例えば、用紙束を中央綴じするための中綴じステープル部２５１が設けられる。中綴じステープル部２５１は、用紙束の長手方向の中央を短手方向に沿って、例えば、２箇所ステープルで綴じる中央綴じ等を行える。中央綴じされた用紙束は、中折ユニット２５の突出棒２５２で折り曲げられた後、ブックレットトレイ２５３に排出される。
【００５２】
（操作パネル１）
次に、図３を用いて、本発明の第１の実施形態に係る操作パネル１の一例を説明する。図３は本発明の第１の実施形態に係る操作パネル１の一例を示す平面図である。
【００５３】
操作パネル１は、図１及び図３に示すように、複合機１００の正面上方に設けられ、複合機１００や後処理装置２の設定や動作指示を与えるためのメニューやキーなど複合機１００等の状態メッセージ等の各種画像、画面を表示する液晶表示部１１（表示部に相当）を有する。使用者は、液晶表示部１１に表示されたキーを押下して、複合機１００のコピーにおける各種設定や、後処理装置２の設定や動作指示を行える。例えば、使用者は、後処理装置２でステープル処理を行う指示や用紙の排出先を設定入力できる。又、操作パネル１には、数字入力用のテンキー部１３（入力部に相当）や、各種設定後、コピー等の実行を指示するスタートキー１４（入力部に相当）等も設けられる。
【００５４】
又、液晶表示部１１の上面にタッチパネル部１２（入力部に相当）が設けられ、タッチパネル部１２は、使用者が液晶表示部１１に押下した部分の位置、座標を検出するためのものである。このタッチパネル部１２を用いた検出座標と、液晶表示部１１に示される各種キーの位置、座標を比較し、使用者が押下して選択したキーが特定される。尚、タッチパネル部１２としては、抵抗膜方式、表面弾性波方式、赤外線方式、静電容量方式等、各方式のものを採用でき特に制限はない。
【００５５】
又、コピー機能を利用する際に押下されるコピーキー１５（入力部に相当）、スキャナ機能、ＦＡＸ機能を利用する際に押下される送信キー１６（入力部に相当）等の入力、設定用のハードキー（入力部に相当）が設けられる。又、ワークフローの作成、登録やワークフローの呼び出しの際に押下されるワークフローキー１７も設けられる（詳細は後述）。このように、使用者は、液晶表示部１１での表示とタッチパネル部１２や各種ハードキーで複合機１００の各機能について、各種設定、モード選択等を行うことができる。
【００５６】
（複合機１００等のハードウェア構成）
次に、図４を用いて、本発明の第１の実施形態に係る複合機１００等のハードウェア構成の一例を説明する。図４は、本発明の第１の実施形態に係る複合機１００等のハードウェア構成の一例を示すブロック図である。
【００５７】
まず、複合機１００の本体側から説明する。複合機１００本体内には、本体制御部９が設けられる。本体制御部９は、例えば、操作パネル１、原稿搬送装置４、画像読取部３、給紙部５ａ、搬送路５ｂ、画像形成部６、定着部７ｂ、排出搬送部８ａ等と接続され、これらの制御を行う。
【００５８】
本体制御部９は、例えば、ＣＰＵ９１等で構成される。ＣＰＵ９１は記憶装置９２（記憶部に相当）に格納され、展開される制御プログラムに基づき演算等を行い、複合機１００の各部を制御する。尚、本体制御部９は、全体制御や画像処理を行うメイン制御部や、画像形成や各種回転体を回転させるモータ等のＯＮ／ＯＦＦ等を行い、印刷を制御するエンジン制御部等、機能ごとに分割して複数種設けられてもよい。本説明では、これらの制御部をまとめた形態を示し、説明する。
【００５９】
記憶装置９２は、本体制御部９と接続される。記憶装置９２は、ＲＯＭ、ＲＡＭ、ＨＤＤ等の不揮発性と揮発性の記憶装置９２を組み合わせて構成される。記憶装置９２は、複合機１００の制御用プログラム、制御用データ、設定データ、画像データ等の各種データを記憶できる。又、特に、本発明に関し、記憶装置９２は、作成したワークフローを記憶できる。
【００６０】
そして、本体制御部９は、各種コネクタ、ソケットやＦＡＸモデム等を備えたインターフェイス部（以下、Ｉ／Ｆ部９３）と接続される。Ｉ／Ｆ部９３はネットワークや公衆回線等により複数の外部のコンピュータ２００（例えば、パーソナルコンピュータ）や相手方ＦＡＸ装置３００（図４では、いずれも便宜上１つのみ図示）と接続される。例えば、画像読取部３で得られた画像データを記憶装置９２に記憶させることや、外部のコンピュータ２００や相手方ＦＡＸ装置３００に送信することができる（スキャナ機能、ＦＡＸ機能）。又、外部のコンピュータ２００や相手方ＦＡＸ装置３００から送信され、複合機１００に入力される画像データに基づき印刷、ＦＡＸ送信等を行うこともできる（プリンタ機能、ＦＡＸ機能）。
【００６１】
又、本体制御部９は、操作パネル１になされた入力を認識し、使用者の設定にあわせてコピー等が行われるように複合機１００を制御する。操作パネル１で、後処理装置２を利用してステープルを行う設定や、副排出トレイ２１０に排出させる設定がなされると、例えば、本体制御部９は、排出搬送部８ａを制御し、印刷済用紙が後処理装置２に向けて搬送されるように、切替弁８４、８５を回動させる。又、例えば、操作パネル１で、複合機１００の胴内の排出トレイ８１に排出を行う設定がなされると、本体制御部９は、排出搬送部８ａを制御し、印刷済用紙が胴内の排出トレイ８１に搬送されるように、切替弁８４、８５を回動させる。
【００６２】
又、例えば、本体制御部９には、画像読取部３で原稿を読み取って得られた画像データやＩ／Ｆ部９３を介して複合機１００に入力された画像データに対し、画像処理を施す画像処理部９４が設けられる。画像処理部９４が処理した画像データは、例えば、露光装置６１に送信され、感光体ドラムの走査・露光に用いられる。
【００６３】
又、本体制御部９は、後処理装置２内に設けられ、後処理装置２の動作の制御を行う後処理制御部２０と通信可能に接続される。例えば、後処理制御部２０は、本体制御部９の指示に基づき、パンチ部２２やステープル部２３、２４等の動作を制御する。例えば、後処理制御部２０は、案内爪２８を回動させるモータの回転を制御する。そして、後処理制御部２０からの指示にあわせ（例えば、副排出トレイ２１０や主排出トレイ２１１への排出や、ステープル処理のためにスタック部２１への搬送等）、後処理装置２内のモータを正逆回転させ、用紙の搬送方向を制御する。
【００６４】
本実施形態の操作パネル１は、表示制御部１０、メモリ１０１（記憶部に相当）、ドライバ回路１０２、液晶表示部１１、タッチパネル部１２を有する。表示制御部１０は、ＣＰＵやＩＣ等で構成され、液晶表示部１１の表示を制御し、タッチパネル部１２の出力を受け、液晶表示部１１で押下された座標を特定する。タッチパネル部１２の出力と座標の対応を示すテーブル等のデータは、メモリ１０１に記憶される。そして、表示制御部１０は、押下位置の座標と、設定項目の選択画面ＤＦや、各設定項目内の設定値の設定画面ＤＳの画像データを比較する等により、選択画面ＤＦや設定画面ＤＳ上で選択された（押下された）キーを特定する。
【００６５】
具体的に、複合機１００の各機能を設定するには、液晶表示部１１における最上層の表示から、液晶表示部１１に表示されるキーの選択を繰り返す。そして、キー選択ごとに、表示制御部１０は、液晶表示部１１の表示を切り換えさせ、最終的に、選択、設定しようとする機能が設定される。この機能の選択、設定が行われたことを表示制御部１０は認識し、その内容を本体の本体制御部９に送信する。これにより、操作パネル１で選択、設定された機能を反映した動作を本体制御部９が、画像形成部６等の各部に行わせ、使用者の意思が、印刷等において反映される（例えば、濃度設定や拡大縮小など）。
【００６６】
そして、液晶表示部１１が表示する画面、画像の画像データは、例えば、操作パネル１内のメモリ１０１に記憶される。従って、表示制御部１０は、選択画面ＤＦや設定画面ＤＳ中のキーが選択されるごとに、次に表示すべき画面の画像データをメモリ１０１から読み出す。
【００６７】
又、液晶表示部１１が表示する画面、画像の画像データは、本体側の記憶装置９２に記憶させてもよい。この場合、操作パネル１は、液晶表示部１１で表示を行うための画像データを、本体制御部９を介し、記憶装置９２から受信する。この画像データを受けて、表示制御部１０は、液晶画面の表示を実際に制御するドライバ回路１０２に指示を与える。尚、操作パネル１には、ドライバ回路１０２や、液晶表示部１１やタッチパネル部１２だけを設け、表示制御部１０、メモリ１０１の機能を本体制御部９の構成（ＣＰＵ９１や記憶装置９２）に代用させても良い。
【００６８】
（ワークフローの呼出、利用）
次に、図５〜図７を用いて、本発明の第１の実施形態に係るワークフローの概要とワークフローの呼出、利用の一例を説明する。図５は、本発明の第１の実施形態に係るワークフローを選ぶ際の呼出画面Ｄ１の一例を示す説明図である。図６は、ワークフローをウィザード形式で表示した際の設定の流れの一例を示す説明図である。図７は、ワークフローをメニュー形式で表示した際のメニュー画面Ｄ３の一例を示す説明図である。
【００６９】
本実施形態の複合機１００は、多数にわたる設定可能な機能を有し、多様な設定項目がある。そして、液晶表示部１１は、複数の設定項目のうちから設定を行う設定項目を選ぶ選択画面ＤＦを表示し、使用者は、印刷や送信で用いる設定項目（機能）を選ぶ（押下する）。例えば、液晶表示部１１は、各設定項目をキーとして表示する。又、液晶表示部１１は、選択された設定項目の設定画面ＤＳを表示する。使用者は各設定画面ＤＳに表示されるキーや、液晶表示部１１の周辺に配されたハードキー等を押下して、多種多様な機能選択、設定を行える。尚、設定項目及び設定項目に対する設定画面ＤＳの種類はあまりに多数にわたるため、便宜上、例として後述する場合を除き図示を避け、設定できる機能（設定項目）を以下に列挙するに留める。
【００７０】
まず、コピーとして利用する場合（コピーキー１５の押下でコピーモードとなる）、複合機１００には、例えば、原稿の画質（文字、写真、文字＋写真等）、コピー濃度、用紙選択、倍率、エコプリント、とじしろ、センター移動、枠消し、両面／分割（片面→両面、両面→片面、見開き→両面等）、小冊子、表紙付け、原稿セット向き、原稿サイズ、ソート、仕分け、白黒反転、鏡像印刷、ページ付け、イメージ合成、集約（２ｉｎ１、４ｉｎ１等）、余白追加、連続読込一括印刷、試しコピー、再コピー、ステープル、パンチ等の設定項目が用意される。使用者は、液晶表示部１１に表示される各設定項目の設定画面ＤＳへの入力により、設定項目内の設定値を設定する。
【００７１】
次に、複合機１００をスキャナとして利用する場合（送信キー１６の押下で複合機１００をスキャナとして利用できる）、例えば、複合機１００には、原稿サイズ、送信サイズ、解像度、原稿セット向き、保存ファイル形式、画質（濃度、カラーモード、圧縮率、写真や文字等の原稿の画質等）、分割、枠消し、ページ毎出力、連続読み込み、ファイル名入力、センター移動、送信先選択、送信先登録、パスワード、Ｅメール送信、相手方受信確認等の設定項目が用意される。使用者は、液晶表示部１１に表示される各設定項目の設定画面ＤＳへの入力により、設定項目内の設定値を設定する。
【００７２】
次に、複合機１００をＦＡＸとして利用する場合（送信キー１６の押下で複合機１００をスキャナとして利用できる）、例えば、複合機１００には、自局情報登録（ＦＡＸ番号、ＩＤ等）、ダイレクト送信、メモリ送信、回転通信、一括送信、Ｆコード通信、用紙切れ時受信、短縮番号、原稿濃度、原稿サイズ、送信先選択、送信先登録、リダイヤル、両面送信、拡大・縮小送信、予約送信、割込送信、時刻指定通信、ポーリング通信、中継送信、受信画像データの転送、暗号通信、通信結果通知、用紙サイズ確認、集約（２ｉｎ１等）、両面受信等の設定項目が容易される。使用者は、液晶表示部１１に表示される各設定項目の設定画面ＤＳへの入力により、設定項目内の設定値を設定する。
【００７３】
ここで、例えば、用紙の消費を抑えるため、集約と両面が組み合わせて設定される場合など、使用者が複合機１００を利用する上で、頻繁に組み合わせられる設定項目が存在する。ところが、上記のように、複合機１００の有する設定項目（機能）は多岐にわたり、複合機１００を利用するたびに、同様の設定を行うことは煩わしく、利便性が悪い。
【００７４】
そこで、本実施形態の複合機１００では、予め頻繁に用いる設定項目の組み合わせを予め選択、登録し、予め選ばれた設定項目の組み合わせをワークフロー（プログラム）として記憶させることができる（詳細は後述）。そして、使用者は、記憶装置９２又はメモリ１０１に記憶されたワークフロー（予め選択した設定項目や表示順や表示形式を示すデータを含むプログラム）を呼び出すと、予め選択した設定項目を設定するための画面が液晶表示部１１に表示される。
【００７５】
例えば、使用者は、予め登録されたワークフローを呼び出す場合、ワークフローキー１７を押下する。そうすると、図５に示すように、予め登録されたワークフローのうち、用いる（呼び出す）ワークフローを選択するための呼出画面Ｄ１が液晶表示部１１に表示される。例えば、図５では、「きれいにコピー」、「節約コピー」、「かんたんＦＡＸ」、「かんたんメール」、「かんたんフォルダ」、「自分のフォルダへ保存」と名付けられたワークフローが表示される。そして、各ワークフローを示す画像を押下することで、押下されたワークフローが記憶装置９２やメモリ１０１から呼び出され、液晶表示部１１にワークフローによる設定のための画面が表示される。
【００７６】
又、呼出画面Ｄ１の下方には、新たにワークフローを作成する場合や既に登録されたワークフローの編集を行う際に押下される登録／編集キーＫ１が配される。又、ワークフローの呼び出しを止めるためのキャンセルキーＫ２も配される。又、図５で示すように、１画面中に表示できるワークフローには限りがある。そこで、次キーＫ３を押下すると、次ページの呼出画面Ｄ１に切り替わり、図５とは異なるワークフローを示す画像が表示される。又、前キーＫ４を押下すると、前ページの呼出画面Ｄ１に切り替えられる。
【００７７】
次に、ワークフローを呼び出した際の表示、設定を説明する。尚、ワークフローを呼び出した際、設定のための画面の表示形式としては、ウィザード表示形式、メニュー表示形式、一覧表表示形式が用意される。いずれの表示形式で表示するかは、例えば、ワークフローの登録時等に設定することができる。そこで、表示形式ごとにワークフローを呼び出した際の設定を説明する。
【００７８】
［ウィザード表示形式］
まず、図６を用いて、ワークフローでのウィザード表示形式を説明する。例えば、図６は、用紙排出先と、ステープルと、両面／分割と、部数の設定項目が含められたワークフローを呼び出した際のウィザード形式での一例を示している。尚、ウィザード形式で表示される画面や表示順は、各ワークフローによって異なる。
【００７９】
そして、ワークフローは、「用紙排出先」の設定画面ＤＳ１→「ステープル」の設定画面ＤＳ２→「両面／分割」の設定画面ＤＳ３→「部数」の設定画面ＤＳ４の順に、各設定項目の設定画面ＤＳを表示するように作成、登録されている。尚、図６での黒線矢印は、表示順を示す。
【００８０】
各設定画面ＤＳでは、前キーＫ５と次キーＫ６がそれぞれ配される。前キーＫ５が押下されると、液晶表示部１１は、１つ前の設定項目の設定画面ＤＳを表示する。又、次キーＫ６が押下されると、液晶表示部１１は、１つ先の設定項目の設定画面ＤＳを表示する。使用者は、各設定画面ＤＳ内に配された設定用のキーを押下することで、各設定項目での設定値を設定することができる。例えば、ステープルの設定項目に関する設定画面ＤＳ２では、ステープルを施す位置の設定値を設定できる（右上、左上等）。又、例えば、図６に示すように、押下された設定用のキーは、白黒反転（黒背景に白文字）状態で表示される。
【００８１】
尚、ワークフローの作成、登録時には、各設定画面ＤＳを表示する際に、選択、設定されている設定値のデフォルト値を定めておくことができる（詳細は後述）。このデフォルト値は、ワークフローの一部として記憶装置９２に記憶される。例えば、用紙排出先の設定項目で本体側の「排出トレイ８１への排出」をデフォルト値とするワークフローが作成された場合、ワークフローを呼び出して初めて「用紙排出先」の設定画面ＤＳ１が表示された際、図６に示すように、排出トレイキーＫ７が、選択されている状態として液晶表示部１１に表示される。
【００８２】
そして、ワークフローとして予め登録された４つの設定項目の全てで設定が完了し、「部数」の設定画面ＤＳ４で次キーＫ６が押下されると、設定一覧Ｄ２が表示される。この設定一覧Ｄ２には、ワークフローに含まれる各設定項目と、各設定項目における設定値が表示される。又、設定一覧Ｄ２では、実行開始キーＫ８と設定変更キーＫ９が表示される。実行開始キーＫ８が押下されると、本体制御部９は、設定一覧Ｄ２に示される内容を把握し、把握した内容で複合機１００を制御し、コピーが行われる。設定変更キーＫ９が押下されると、例えば、再び、「用紙選択」の設定画面ＤＳ１が表示され、使用者は、ワークフローに含まれる設定項目について再度、設定を行える。
【００８３】
又、ウィザード形式で表示する場合、液晶表示部１１には、ワークフローに含まれる設定項目に対応してタブＴが表示される。タブＴは、設定が完了した設定項目と、設定中の設定項目について表示される。図６の例で言えば、最も上方のタブＴは「用紙排出先」の設定項目に対応し、上から２番目のタブＴは「ステープル」の設定項目に対応し、上から３番目のタブＴは「両面／分割」の設定項目に対応し、上から４番目のタブＴは「部数」の設定項目に対応する。そして、設定項目の設定が完了するごとに、新たなタブＴが追加される。
【００８４】
又、各タブＴは、どの設定項目に対応するか示すため、図６に示すように、各タブＴ内に対応する設定項目を示す文字が含まれてもよい。即ち、表示部（液晶表示部１１）は、設定済みの設定項目を示す文字をタブＴに含めて表示する。尚、各タブＴに含まれる文字は、順番等の数字であってもよい。これらのタブＴの表示によって、使用者がどれほど設定項目を設定したか等、設定の全体像が把握しやすくなる。
【００８５】
即ち、記憶部（記憶装置９２、メモリ１０１）は、入力部（タッチパネル部１２等）への入力に基づき呼び出され、予め複数の設定項目の中から選択され、登録された設定項目の組み合わせであり、呼び出すことにより予め選択、登録された設定項目を設定するための画面を表示部（液晶表示部１１）に表示させるプログラム（ワークフロー）を記憶し、表示部は、プログラムが呼び出された際に、設定済みの設定項目を示すタブＴを、設定された順に並べて表示する。
【００８６】
［メニュー表示形式］
次に、図７を用いて、ワークフローでのメニュー表示形式を説明する。例えば、図７は図６のワークフローがメニュー表示形式で呼び出された際のメニュー画面Ｄ３の一例を示す。
【００８７】
図７に示すように、メニュー表示形式のメニュー画面Ｄ３には、「用紙排出先」の設定項目に対応するメニュー画像ｉ１、「ステープル」の設定項目に対応するメニュー画像ｉ２、「両面／分割」の設定項目に対応するメニュー画像ｉ３、「部数」の設定項目に対応するメニュー画像ｉ４が表示される。従って、選択されるワークフローによって、メニュー画面Ｄ３に表示されるメニュー画像が異なることになる。そして、それぞれのメニュー画像には、デフォルトの設定値も表示される。このように、メニュー表示形式では、ワークフローに含まれる設定項目がメニューとして表示される。
【００８８】
使用者は、設定値を変更したい設定項目のメニュー画像を押下する。これにより、液晶表示部１１の表示は、例えば、図６に示したような、設定項目ごとの設定画面ＤＳに切り替わる。そして、設定画面ＤＳでの設定が完了すると、液晶表示部１１の表示は、図７に示すメニュー画面Ｄ３に再び切り替わる。
【００８９】
又、メニュー画面Ｄ３には、ＯＫキーＫ１０とキャンセルキーＫ１１が配される。ＯＫキーＫ１０が押下されると、図６に示した設定一覧Ｄ２が液晶表示部１１に表示される。設定一覧Ｄ２の詳細は、図６を用いて説明した場合と同様でよく説明を省略する。一方、キャンセルキーＫ１１が押下されると、ワークフローを用いた設定がキャンセルされる。
【００９０】
［一覧表表示形式］
次に、図６を用いて、ワークフローでの一覧表表示形式を説明する。この一覧表表示形式では、図５の呼出画面Ｄ１で押下して、使用するワークフローを選択すると、いきなり、図６に示した設定一覧Ｄ２が液晶表示部１１に表示される。設定一覧Ｄ２の詳細は、図６を用いてウィザード表示形式で説明した場合と同様でよいので、説明を省略する。
【００９１】
（ワークフロー呼出時の禁則発生と報知、解消）
次に、図８を用いて、本発明の第１の実施形態に係る複合機１００での禁則発生と報知と解消を説明する。図８は、本発明の第１の実施形態に係る複合機１００での禁則発生時の禁則発生と報知と解消の一例を示す説明図である。尚、図８は、図６を用いて説明したワークフローを呼び出した際の禁則の発生の一例を示している。
【００９２】
まず、複合機１００を利用する上で、矛盾する設定や、ジョブを適切に実行できないような設定が行われることを避けなければならない。このような、設定項目や設定項目内の設定値における矛盾する関係は、予め把握することができる。そして、例えば、記憶装置９２（メモリ１０１でもよい）は、このような設定項目や設定項目内の設定値における矛盾する関係（禁則関係）を定めたデータ（禁則データ）を予め記憶する。言い換えると、禁則関係とは、例えば、後処理装置２で後処理（例えば、ステープル処理等）を行う設定がなされているのに、用紙の排出先が後処理装置２以外の場所に設定された場合など、適切な処理、ジョブを行う上で、それぞれの設定項目の設定画面ＤＳにおける設定値の設定により、予め禁止と定められた設定の組み合わせの関係である。
【００９３】
例えば、操作パネル１になされた設定は、逐次、本体制御部９に送信される。そして、本体制御部９は、操作パネル１でなされた設定に禁則が発生していないか確認する。もし、禁則関係にある設定がなされれば、本体制御部９は、その旨を示すデータを操作パネル１に送信する。これにより、表示制御部１０は、作成中のワークフローでの禁則関係の発生を認識できる。或いは、禁則関係を定めたデータ（禁則データ）を操作パネル１のメモリ１０１に記憶させておけば、表示制御部１０は、本体制御部９と通信することなく禁則関係の発生を認識できる。
【００９４】
そこで、図８を用いて、禁則発生の報知と解消の一例を説明する。図８では、ステープルと排出先の禁則関係の一例を示している。ステープルを行うには、用紙は、後処理装置２に搬送される必要がある。一方、ステープルを施す用紙束が、本体の排出トレイ８１に排出されれば、ステープルを行うことができない。そして、ステープル後の用紙束は、後処理装置２の主排出トレイ２１１にのみ排出可能とされる。そのため、記憶装置９２やメモリ１０１には、用紙排出先を複合機１００本体の排出トレイ８１とする設定と、ステープルを行う設定とは、禁則関係であると定められる（禁則データが記憶される）。
【００９５】
尚、ステープルに関する禁則としては、用紙サイズとの関係もある。ステープルを行うためには、ステープル処理を行う機構との関係上、用紙は一定以上のサイズが必要な場合がある（例えば、Ａ５以上等）。そのため、記憶装置９２やメモリ１０１には、予め定められたサイズよりも小さい用紙を用いての印刷と、ステープルを行う設定は、禁則関係であるとの旨の禁則データが、記憶装置９２やメモリ１０１に記憶される。
【００９６】
そして、図８の最上段の設定画面ＤＳ１では、排出トレイ８１に用紙を排出する設定を行う際に押下される排出トレイキーＫ７が押下された状態を示す。言い換えると、本体の排出トレイ８１への排出が設定値として設定された状態を示している。
【００９７】
次に、図８の上から２段目の設定画面ＤＳ２では、ステープルを用紙左上に施す際に押下される左上キーＫ１２が押下された状態を示す。言い換えると、用紙左上隅位置へのステープルが設定値として設定された状態を示している。
【００９８】
このような、設定がなされると、本体制御部９又は表示制御部１０は、禁則関係の発生を認識する。そして、表示制御部１０は、禁則関係にあり、問題のある設定項目に対応するタブＴの表示を、問題の無い設定項目のタブと変化させ、禁則関係の発生を報知する。例えば、図８に示すように、禁則関係のない設定項目に対応するタブＴと、禁則関係にある設定項目に対応するタブＴの表示色を変えてもよい。又、禁則関係にある設定項目に対応するタブＴを点滅させてもよい（例えば、赤色点滅表示）。これにより、使用者は、禁則関係の発生や設定に問題があることを認識できる。
【００９９】
即ち、表示制御部１０は、それぞれの設定項目の設定画面ＤＳにおける設定値の設定によって、予め禁止と定められた設定の組み合わせの関係である禁則関係が生じた場合、禁則関係にある設定項目のタブＴと、禁則関係にない設定項目のタブＴとを異ならせて表示部（液晶表示部１１）に表示させる。具体的には、表示部は、禁則関係にある設定項目のタブＴを点滅させ、及び／又は、禁則関係にある設定項目のタブＴ以外のタブＴと表示色を異ならせる。
【０１００】
ここで、本実施形態では、表示制御部１０は、表示される各タブＴが押下されたことを認識すると、押下されたタブＴに対応する設定項目の設定画面ＤＳが表示される。言い換えると、設定済みの設定項目に対応するタブＴを押下することで、設定済みの設定項目の設定画面ＤＳにジャンプできる。
【０１０１】
即ち、本実施形態の表示入力装置（操作パネル１）は、実行可能な複数種の機能を設定項目として表示する表示部（液晶表示部１１）と、設定項目を選択する入力や、表示部の表示内容に対する入力を受け付ける入力部（タッチパネル部１２等）と、表示部で表示を行うための画像データを少なくとも記憶する記憶部（記憶装置９２、メモリ１０１）と、入力部への入力を把握し、表示部の表示を制御する表示制御部１０と、を備え、表示制御部１０は、設定済みの設定項目を示すタブＴを、設定された順に並べて表示部（液晶表示部１１）に表示させ、入力部（タッチパネル部１２等）によりタブＴを選択する入力が受け付けられると、タブＴに対応する設定項目の設定画面ＤＳを表示部（液晶表示部１１）に表示させる。
【０１０２】
そこで、例えば、図８の最下段に示すように、使用者は、用紙排出先に対応するタブＴを押下することで設定値を変えて、禁則関係の解消を図ることができる。例えば、使用者は、設定画面ＤＳ１で、後処理装置２の主排出トレイ２１１に用紙を排出する設定を行う際に押下される主排出トレイキーＫ１３を押下する。これにより、設定に矛盾が無くなり、本体制御部９や表示制御部１０は禁則関係が解消されたと判断する。この判断に伴い、表示制御部１０は、液晶表示部１１での禁則関係の発生を報知するための表示を停止させる。
【０１０３】
（ワークフロー呼出時の設定項目の自動追加）
次に、図９を用いて、本発明の第１の実施形態に係る複合機１００での設定項目の自動追加を説明する。図９は、本発明の第１の実施形態に係る複合機１００での設定項目の自動追加の一例を示す説明図である。尚、図９は、図６を用いて説明したワークフローを呼び出した際、設定項目の自動追加の一例を示している。
【０１０４】
まず、複合機１００を利用する上で、矛盾する設定や、ジョブを適切に実行できないような設定が行われると、禁則関係であれば、タブＴを点滅表示させる等により、使用者に知らせることができる。しかし、タブＴを点滅表示させるには、設定項目の設定が既に行われている必要がある。
【０１０５】
ワークフローでの設定項目内の設定値の設定によって、ジョブを適切に行ううえで、設定を追加すべき場合がある。そして、ワークフローを用いた設定では、ワークフローに含められない設定項目内の設定値は、設定の対象とならない。
【０１０６】
そして、ワークフローに含まない設定項目については、デフォルトの設定値で設定されたと扱われる（みなされる。例えば、倍率は自動の設定値等。例えば、記憶装置９２が記憶）。しかし、ワークフローでの設定項目の設定値の設定により、設定項目や設定値で確認しておくべきものなどがある。
【０１０７】
ワークフローは、設定すべき設定画面ＤＳが予め選択されたものであり、設定項目が予め限定されているが、確認すべき点に付き、設定を行えなければ、ジョブを実行しても、使用者が所望する結果とならず、ジョブが適切に実行されない場合が生ずる。
【０１０８】
ここで、ワークフローでの設定項目の設定値に対し、設定を追加すべき設定項目や設定値は、予め、予め把握することができる。そして、ワークフローでの設定項目の設定値に対し、設定を追加すべき設定項目は、例えば、記憶装置９２（メモリ１０１でもよい）に、予めにデータ（追加設定判断用データ）として記憶する。
【０１０９】
例えば、操作パネル１になされた設定は、逐次、本体制御部９に送信される。そして、本体制御部９は、操作パネル１でなされた設定と、追加設定判断用データに基づき、設定を追加すべきか判断する。もし、追加すべき設定があれば、本体制御部９は、その旨を示すデータを操作パネル１に送信する。これにより、表示制御部１０は、追加すべき設定があると認識できる。或いは、追加設定判断用データを操作パネル１のメモリ１０１に記憶させておけば、表示制御部１０は、本体制御部９と通信することなく追加すべき設定があることを認識できる。
【０１１０】
そこで、図９を用いて、設定の自動追加の一例を説明する。図９では、ワークフローでの書籍等の見開きページの原稿（以下、「ブック原稿」という。）を両面印刷する設定に伴って、原稿のセット方向の設定項目の自動追加の一例を示す。
【０１１１】
本実施形態の複合機１００では、Ａ３の原稿を読取可能であり、複合機１００の正面−背面方向（図１の紙面奥行方向）が、Ａ３用紙の短辺に対応する。一方、複合機１００の左右方向（図１の左右方向）が、Ａ３用紙の長辺に対応する。そして、読み取り範囲からのはみ出し防止や、画像読取部３等での画像データの処理の制約等の関係上、本実施形態の複合機１００では、ブック原稿の上辺が奥向きとされなければならない。
【０１１２】
このとき、適切にコピーを行うため、原稿の上辺が奥向きである旨を確認する必要がある。そのため、記憶装置９２やメモリ１０１には、見開き原稿を読み取る設定がなされた場合、原稿のセット方向の設定を追加すべき旨の追加設定判断用データが定められる（追加設定判断用データが記憶される）。
【０１１３】
そこで、設定項目の自動追加を具体的に、図９を用いて説明する。まず、図９の最上段の図は、図６や図８で示した「ステープル」の設定項目に対応する設定画面ＤＳ２での設定の後、ステープルを行う際に押下される左上キーＫ１２が押下された状態を示す。言い換えると、用紙左上隅位置へのステープルが設定値として設定された状態を示している。
【０１１４】
次に、図９の上から２段目の設定画面ＤＳ３では、見開きページの原稿を読み取って、両面印刷を行う際に押下される見開き→両面キーＫ１４が押下された状態を示す。言い換えると、見開き原稿（ブック原稿）の読み取りを行ったうえで、両面印刷を行う旨が設定値として設定された状態を示している。
【０１１５】
このとき、適切に見開きページを１ページずつ分割し、分割された各ページの両面印刷を行うには、原稿の分割方向が適切でなくてはならない。そして、本実施形態の複合機１００では、見開きページを１ページずつ分割し、片面又は両面印刷する場合、原稿の上辺を奥向きにセットする必要がある（見開きページの分割線の方向は、複合機正面−背面方向とされる）。このため、本体制御部９又は表示制御部１０は、追加設定が必要と判断する。そして、図９の上から２段目の設定画面ＤＳ３に示すように、表示制御部１０は、追加設定のため自動的に追加された設定項目に対応するタブＴ（以下、「追加設定用タブＴ０」）を、設定済みの設定項目に対応するタブＴと異なる態様で表示させる。これにより、使用者は、設定項目が自動的に追加されたと認識できる。
【０１１６】
例えば、図９に示すように、液晶表示部１１は、設定済みの設定項目に対応するタブＴと、自動的に追加表示されたタブＴの表示色を変えて表示してもよい。又、液晶表示部１１は、自動的に追加表示されたタブＴを点滅させてもよい。
【０１１７】
即ち、表示制御部１０は、設定項目の選択及び設定値の設定がなされると、新たな設定の追加の必要性の有無を判断し、新たな設定の追加が必要と判断した場合、追加して設定を行うための追加設定用タブＴ０を表示部（液晶表示部１１）に表示させ、入力部（タッチパネル部１２等）により追加設定用タブＴ０を選択する入力が受け付けられると、追加設定用タブＴ０に対応する設定項目の設定画面ＤＳを表示部に表示させる。具体的には、表示部は、追加設定用タブＴ０を、点滅させ、及び／又は、追加設定用タブＴ０以外のタブＴと表示色を異ならせる。
【０１１８】
ここで、本実施形態では、表示制御部１０は、表示される各タブＴが押下されたことを認識すると、押下されたタブＴに対応する設定項目の設定画面ＤＳが表示される。言い換えると、設定済みの設定項目に対応するタブＴを押下することで、タブＴに対応する設定項目の設定画面ＤＳにジャンプできる。
【０１１９】
そこで、例えば、図９の最下段に示すように、使用者は、新たに自動的に追加された追加設定用タブＴ０を押下する。そうすると、表示制御部１０は、原稿セット向きの設定項目の設定画面ＤＳ５を液晶表示部１１に表示させる。そして、表示制御部１０は、原稿の上辺を奥向きにセットする際に押下される上辺奥向きキーＫ１５が押下された場合、設定済み設定項目に対応するタブＴと、追加設定用タブＴ０の表示色を同じにして、適切な設定がなされた旨を示す。尚、両面／分割の設定項目に対応するタブＴが押下され、見開きページの原稿以外の設定値が設定された場合、追加設定を行う必要が無くなったので、表示制御部１０は、追加設定用タブＴ０の点滅表示を停止させてもよいし、追加設定用タブＴ０を消してもよい。一方、適切な設定がなされない限り、追加設定用タブＴ０の点滅表示等を続ければよい。
【０１２０】
（通常設定時やワークフロー作成時のタブＴの表示）
次に、図１０〜図１２を用いて、通常の設定時やワークフロー作成時のタブＴの表示の一例を説明する。図１０は、本発明の第１の実施形態に係る操作パネル１でのコピー機能の初期画面Ｄ４の一例を示す説明図である。図１１は、本発明の第１の実施形態に係る複合機１００での設定項目の選択画面ＤＦの一例を示す説明図である。図１２は、通常設定時やワークフロー作成時のタブＴの表示の一例を示す説明図である。
【０１２１】
本実施形態の複合機１００は、使用者が任意に設定項目を選択して設定を行う通常モードと、新規のワークフローの作成、登録を行うためのワークフロー登録モードを有する。ワークフロー登録モードで作成されたワークフローは、以後、呼び出して用いることができる。
【０１２２】
、例えば、ワークフローキー１７が押下され、呼出画面Ｄ１で、登録／編集キーＫ１が押下されると（図５参照）、ワークフローを作成、登録するためのワークフロー登録モードとなる。そして、例えば、新規に登録するワークフローの名称付けや、表示形式（ウィザード表示形式、一覧表表示形式、メニュー表示形式）の選択等が行われる。尚、ワークフローの名称付けや、表示形式の選択は、ワークフローでの設定項目の設定や設定値の設定完了後に行われてもよい。
【０１２３】
尚、本実施形態では、設定項目の選択画面ＤＦや、各設定項目内の設定値の設定画面ＤＳは、通常のコピーやデータ送信を行うときと、ワークフロー登録モードのときでは、同じ画像データを用いて液晶表示部１１が表示を行う例を説明する。
【０１２４】
そして、図１０は、通常モードやワークフロー登録モードで、コピーキー１５が押下された場合に表示されるコピー機能の初期画面Ｄ４の一例である。コピーの初期画面Ｄ４には、例えば、原稿／用紙／仕上げキーＫ１６、画質キーＫ１７、レイアウト／編集キーＫ１８、応用／その他キーＫ１９といった複数のキーが設けられる。コピーの際、利用できる機能は、上記の４つの概念（原稿／用紙／仕上げ、画質、レイアウト／編集、応用／その他）により分類される。
【０１２５】
尚、通常モードやワークフロー登録モードで、送信キー１６が押下された場合、スキャンした画像データの記憶装置９２や外部のコンピュータ２００への送信等の送信機能の初期画面Ｄ４（不図示）が表示される。又、送信の際、利用できる機能は、複数の概念（例えば、コピーと同様に４つ）により分類される。
【０１２６】
図１１（ａ）は、初期画面Ｄ４で原稿／用紙／仕上げキーＫ１６が押下された際に表示される設定項目の選択画面ＤＦ１の一例である。図１１（ｂ）は、初期画面Ｄ４でレイアウト／編集キーＫ１８が押下された際に表示される設定項目の選択画面ＤＦ２の一例である。
【０１２７】
例えば、図１１（ａ）の選択画面ＤＦ１では、原稿のコンタクトガラスへの原稿セット向きの設定項目を選択する際に押下される原稿セット向きキーＫ２０や、ステープル位置等のステープルの設定項目を選択する際に押下されるステープルキーＫ２１や、印刷済み用紙の排出先の設定項目を選択する際に押下される排出先キーＫ２２といったキーが複数配される。又、例えば、図１１（ｂ）の選択画面ＤＦ２では、両面／分割印刷に関するの設定項目を選択する際に押下される両面／分割キーＫ２３等が複数配される。尚、他の設定項目（機能）の詳細については、説明を便宜上割愛する。
【０１２８】
例えば、原稿セット向きキーＫ２０が押下されれば、表示制御部１０は、図９の最下段に示す原稿セット向き設定用の設定画面ＤＳ５を液晶表示部１１に表示させる。このように、各選択画面ＤＦでキーを設定項目を選択してキーを押下することで、押下されたキーに対応する機能（設定項目）の設定画面ＤＳが、液晶表示部１１に表示される。
【０１２９】
例えば、通常の設定時、使用者は、設定項目を選択して、各設定項目の設定画面ＤＳで設定値を設定できる。そして、本体制御部９は、選択された設定項目と、設定値に基づいて、印刷や原稿の読み取りや画像データの送信を行う。
【０１３０】
又、ワークフロー登録モードでは、使用者は、設定項目を選択することで、ワークフローに含める設定項目を定めることができる。又、使用者によって各設定項目の設定画面ＤＳで設定された設定値は、ワークフローを呼び出した際のデフォルトの設定値として、記憶装置９２やメモリ１０１に記憶される。
【０１３１】
このように、通常の利用時の設定や、ワークフロー登録モードでも、使用者は、同様に設定項目（機能）の選択や設定値の設定を行うことができる。そして、例えば、各設定項目内の設定値の設定画面ＤＳでは、ワークフローを呼び出してウィザード形式で表示する場合と異なり、ＯＫキーＫ２４とキャンセルキーＫ２５が設けられる（図１２参照）。
【０１３２】
通常の利用時の設定や、ワークフロー登録モードで、各設定画面ＤＳ内のＯＫキーＫ２４が押下されると、例えば、表示制御部１０は、現在の設定項目の設定が完了したと認識し、液晶表示部１１に初期画面Ｄ４を表示させる。そして、使用者は、通常の利用時では、所望する設定項目の選択や設定値の設定を繰り返し、完了すれば、スタートキー１４の押下等により、表示制御部１０や本体制御部９にジョブ開始指示を与える。又、使用者は、ワークフロー登録モードでは、ワークフローに含めたい設定項目の選択やデフォルトの設定値の設定を繰り返し、完了すれば、ワークフローキー１７の押下等により、表示制御部１０や本体制御部９に、ワークフローの記憶部（記憶装置９２、メモリ１０１等）への記憶（登録）指示を与える。
【０１３３】
通常の利用時の設定や、ワークフロー登録モードでも、表示制御部１０は、液晶表示部１１にタブ表示を行わせる。例えば、図１２に示すように、液晶表示部１１は、現在設定中の設定項目と、ＯＫキーＫ２４の押下で設定が完了した設定項目に対応するタブＴを表示する。尚、図１２では、コピー機能に関し、図８等と同様に、通常の利用時の設定や、ワークフロー登録モードで、「用紙排出先」→「ステープル」→「両面／分割」の設定項目を選択、設定する例を示している。尚、通常の利用時の設定や、ワークフロー登録モードでの各設定画面ＤＳと、ワークフロー呼出時の各設定画面ＤＳはほぼ共通するので、図１２での各設定画面ＤＳに付す符号は、便宜上、差異点を除き、ワークフロー呼出時の各設定画面ＤＳと同じ符号を付す。
【０１３４】
又、ワークフローを呼び出してウィザード形式で表示する場合と同様に、禁則関係が生ずれば、液晶表示部１１は、禁則関係にある設定項目に対応するタブＴの表示と、禁則関係にない設定項目に対応するタブＴと異ならせて表示する。例えば、液晶表示部１１は、禁則関係にある設定項目に対応するタブＴを点滅や、表示色を変えて表示させる（図１２の中段の図を参照）。
【０１３５】
更に、ワークフローを呼び出してウィザード形式で表示する場合と同様に、追加設定の必要が生ずれば、液晶表示部１１は、自動的に追加設定すべき設定項目に対応する追加設定用タブＴ０の表示と、追加設定用タブＴ０ではないタブＴと異ならせて表示する。例えば、追加設定用タブＴ０を点滅や、表示色を変えて表示させる（図１２の最下段の図を参照）。
【０１３６】
即ち、表示部（液晶表示部１１）は、通常の利用の設定中及びプログラム（ワークフロー）の作成中、設定済みの設定項目を示すタブＴを、設定された順に並べて表示部（液晶表示部１１）に表示する。
【０１３７】
（タブＴの表示制御）
次に、図１３に基づき、本発明の第１の実施形態に係るタブＴの表示制御の一例を説明する。図１３は、本発明の第１の実施形態に係るタブＴの表示制御の一例を示すフローチャートである。
【０１３８】
まず、図１３のスタートは、設定項目（機能）の選択や設定値の設定を行う入力がなされた時点である。例えば、ワークフローを呼び出して設定を行う場合では、ワークフローキー１７（図３参照）が押下され、呼出画面Ｄ１で用いる（呼び出す）ワークフローの選択を表示制御部１０が認識し、ウィザード表示形式での表示が開始される時点である。又、ワークフローを呼び出さない通常の利用の設定時では、例えば、コピーキー１５や送信キー１６が押下され、ある設定項目が選択された時点である。又、ワークフローの作成、登録を行う場合では、ワークフロー登録モードとなった時点である。
【０１３９】
次に、表示制御部１０は、設定中及び設定済みの設定項目に対応するタブＴを表示する（ステップ♯１）。例えば、ワークフローを呼び出した当初であれば液晶表示部１１は、最初に表示される設定項目（表示順で１番目の設定項目）に対応するタブＴを表示する。以後、随時、使用者による設定項目の選択や設定値の設定等の入力が行われる。そして、１つの設定項目を選択し設定値の設定が完了すると、液晶表示部１１は、次の設定項目のタブＴを追加表示する。
【０１４０】
そして、表示制御部１０は、現在設定中の設定項目での設定値の設定により、禁則関係が生じていないかを確認する（ステップ♯２）。具体的には、本体制御部９や表示制御部１０は、設定済みの設定項目内の設定値と、現在設定中の設定項目の設定値の関係が、記憶装置９２やメモリ１０１に記憶された禁則関係に該当するかを確認する。
【０１４１】
もし、禁則関係が生じたのであれば（ステップ♯２のＹｅｓ）、禁則関係にある設定項目に対応するタブＴの点滅や表示色の変化等により、表示制御部１０は、禁則関係の発生表示を液晶表示部１１に行わせる（ステップ♯３）。次に、表示制御部１０は、禁則関係にあるタブＴの押下による設定画面ＤＳの切替や、各設定画面ＤＳでの設定値の変更等による使用者の入力により、禁則関係が解消されたかを確認し続ける（ステップ♯４、ステップ♯４のＮｏ）。禁則関係が解消されれば（ステップ♯４のＹｅｓ）、表示制御部１０は、禁則関係の発生表示を液晶表示部１１に停止させる（ステップ♯５）。
【０１４２】
一方、禁則関係が生じていなければ（ステップ♯５のＮｏ）、表示制御部１０は、現在設定中の設定項目での設定値の設定により、新たな設定項目の追加が必要かを確認する（ステップ♯６）。もし、新たな設定項目の追加が必要であれば（ステップ♯６のＹｅｓ）、表示制御部１０は、液晶表示部１１に追加設定用タブＴ０を表示させる（ステップ♯７）。
【０１４３】
そして、ステップ♯５の後、新たな設定項目の追加が必要でない場合（ステップ♯６のＮｏ）、ステップ♯７の後、表示制御部１０は、全ての設定項目（新たな設定項目が自動的に追加された場合には新たな設定項目を含めて）について、設定が完了したかを確認する（ステップ♯８）。
【０１４４】
例えば、ワークフローを呼び出しての設定では、表示制御部１０は、ワークフローに含まれる設定項目のうち、表示順が最後の設定項目で設定が完了したかを確認する。又、ワークフローを呼び出さない通常の利用の設定時では、例えば、表示制御部１０は、スタートキー１４が押下され、ジョブの実行が指示されたことを確認する。又、ワークフローの作成、登録を行う場合では、例えば、表示制御部１０は、ワークフロー登録モードでスタートキー１４の押下やワークフローキー１７の押下等、ワークフローの作成における設定項目の選択とデフォルトの設定値の設定を終了させる旨の入力が行われたかを確認する。
【０１４５】
もし、全設定項目での設定が完了すれば（ステップ♯８のＹｅｓ）、表示制御部１０は、タブＴの表示制御を終了させればよい（エンド）。例えば、ワークフローを呼び出した設定では、この後、設定一覧Ｄ２が表示される。そして、ジョブの実行開始指示がなされると、コピーや送信等のジョブが実行され、再度の設定が選択されると（例えば、設定一覧Ｄ２での設定変更キーＫ９の押下）、再び、タブＴの表示制御フローが開始される。
【０１４６】
一方、全設定項目での設定が完了していなければ（ステップ♯８のＮｏ）、例えば、ステップ♯１に戻ればよい。そして、必要に応じ、タブＴが新たに追加されて表示される等、ワークフローを呼び出しての設定が続けられる。
【０１４７】
このようにして、本発明によれば、設定済みの設定項目を示すタブＴが、設定された順に並べて表示される。これにより、今まで行った設定項目の個数を把握することができる。従って、設定の全体像や、使用者が意図する設定のうち、どれくらい設定が完了したか等の現在位置の把握が容易となる。又、タブＴを選択する入力が受け付けられると、タブＴに対応する設定項目の設定画面ＤＳが表示部（液晶表示部１１）に表示される。これにより、タブＴの選択入力を行うだけで、変更を意図する設定の設定画面ＤＳに飛ぶことができる。従って、容易に設定の変更を行えるので、設定内容の変更における利便性を向上させることができる。
【０１４８】
又、禁則関係が生じた場合、禁則関係にあるタブＴは、禁則関係にないタブＴと異なって表示される。これにより、使用者に設定で問題が生じたことを知らせることができる。従って、使用者は、どこで禁則関係が生じたかを容易に把握できる。又、使用者は問題を解決する際、禁則関係として表示されたタブＴを選択することで、禁則関係にある設定項目の設定画面ＤＳを速やかに表示させることができる。従って、使用者は、禁則関係を解消する設定を速やかに行うことができる。
【０１４９】
又、例えば、見開き原稿（ブック原稿）などの特定種の原稿を読み取る場合の原稿載置方向など、設定項目の選択と設定値の設定に応じ、適切に処理、ジョブを実行する上で、新たな設定が必要になる場合がある。そこで、新たな設定の追加が必要と判断された場合、追加設定用タブＴ０が表示され、追加設定用タブＴ０を選択する入力が受け付けられると、追加設定用タブＴ０に対応する設定項目の設定画面ＤＳが表示部（液晶表示部１１）に表示される。これにより、使用者は、新たな設定が必要な未設定の設定項目を自ら探し出すことなく、容易に追加設定を行うことができる。従って、適切な処理、ジョブを行ううえで、必要な設定が漏れなく行われるように、使用者を補助することができる。
【０１５０】
又、禁則関係にある設定項目のタブＴや追加設定用タブＴ０は、点滅し、及び／又は、禁則関係にある設定項目のタブＴや追加設定用タブＴ０と表示色を変えて表示される。これにより、使用者は、禁則関係にある設定項目のタブＴや追加設定用タブＴ０のような、追加的な設定の必要なタブＴを直ちに見分けることができる。又、プログラム（ワークフロー）が呼び出された際に、設定済みの設定項目を示すタブＴが設定順に並べて表示される。これにより、プログラムを呼び出した際の設定でも、プログラムでの全体像や、現在位置の把握が容易となる。又、プログラムを呼び出した際の設定でも、タブＴの選択で変更を意図する設定の設定画面ＤＳに飛ぶことができ、設定内容の変更における利便性を向上させることができる。
【０１５１】
又、プログラム（ワークフロー）の作成中、設定済みの設定項目を示すタブＴが、設定順に並べて表示される。これにより、プログラムの作成中でも、プログラムでの全体像や、現在位置の把握が容易となる。又、プログラムの作成中でも、タブＴの選択で変更を意図する設定の設定画面ＤＳに飛ぶことができ、設定内容の変更における利便性を向上させることができる。又、設定済みの設定項目を示す文字がタブＴに含めて表示される。これにより、使用者は、タブＴがどの設定項目に対応しているか、容易に認識することができる。又、画像形成装置（例えば、複合機１００）での設定において、設定の全体像や現在の位置の把握が容易となり、設定内容の変更における利便性が高くなる。従って、設定での利便性が高く、操作が容易、簡易に行える画像形成装置（例えば、複合機１００）を提供することができる。
【０１５２】
（第２の実施形態）
次に、図１４を用いて、第２の実施形態でのタブＴの表示の一例を説明する。図１４は、本発明の第２の実施形態に係るタブＴの表示の一例を示す説明図である。
【０１５３】
複合機１００の機種等にもよるが、複数回の入力を行った上で、設定項目の選択や設定値の設定が可能となる場合がある。この場合、複数の選択画面ＤＦや設定画面ＤＳが用意され、あたかも、上位の階層から下位の階層に降りていく（潜っていく）ように入力を繰り返し、ようやく目的とする設定項目の選択等が行えるようになる。
【０１５４】
そこで、本実施形態では、階層単位でのタブＴの表示を説明する。第１の実施形態では、設定済みや設定中の設定項目単位でタブＴを表示していたが、本実施形態では、階層単位でタブ表示を行う点で異なる。尚、他の点では、第１の実施形態と同様でよく、共通する点については、同じ符号を付し、説明、図示を省略する。
【０１５５】
そして、本説明では、コピー機能でのステープル設定を行う場合を例に挙げて説明する。ステープルの設定を行うには、図１４に示すように、複数の画面を経る必要がある。例えば、図１４のうち、最上段に示す画面は、コピーキー１５を押下した際に表示される初期画面Ｄ４である。この初期画面Ｄ４は、操作パネル１でのコピーの設定系統において、最上層に位置する画面である。
【０１５６】
そして、表示制御部１０は、初期画面Ｄ４を表示している状態で、タブＴを１つ、液晶表示部１１に表示させる。表示制御部１０は、このタブＴ内に、例えば、最上層であること、言い換えると、１番目の階層であることを示す「１」の数字を液晶表示部１１に表示させる。
【０１５７】
ステープルの設定項目を選択するため、初期画面Ｄ４で、原稿／用紙／仕上げキーＫ１６が押下されると、表示制御部１０は、設定項目の選択画面ＤＦ１を液晶表示部１１に表示させる。この選択画面ＤＦ１は、操作パネル１でのコピーの設定系統において、上から２番目の階層に位置する画面である。
【０１５８】
そこで、表示制御部１０は、選択画面ＤＦ１を表示している状態では、初期画面Ｄ４に対応するタブＴの下方に、選択画面ＤＦ１に対応するタブＴを液晶表示部１１に表示させる。具体的に図１４では、初期画面Ｄ４に対応するタブＴの下方に、選択画面ＤＦ１に対応するタブＴを表示させる例を示している。又、表示制御部１０は、選択画面ＤＦ１に対応するタブＴ内に、例えば、上から２番目の階層であることを示す「２」の数字を液晶表示部１１に表示させる。
【０１５９】
更に、ステープルについて設定値を設定するため、選択画面ＤＦ１で、ステープルキーＫ２１が押下されると、表示制御部１０は、ステープルの設定画面ＤＳ２を液晶表示部１１に表示させる。この設定画面ＤＳ２は、操作パネル１でのコピーの設定系統において、上から３番目の階層に位置する画面である。
【０１６０】
そこで、表示制御部１０は、設定画面ＤＳ２を表示している状態では、選択画面ＤＦ１に対応するタブＴの下方に、設定画面ＤＳ２に対応するタブＴを液晶表示部１１に表示させる。具体的に図１４では、選択画面ＤＦ１に対応するタブＴの下方に、設定画面ＤＳ２に対応するタブＴを表示させる例を示している。これにより、タブＴは計３つとなる。又、表示制御部１０は、設定画面ＤＳ２に対応するタブＴ内に、例えば、上から３番目の階層であることを示す「３」の数字を液晶表示部１１に表示させる。
【０１６１】
そして、具体的に図示しないが、例えば、設定画面ＤＳ２の下位に別画面があれば、別画面が表示された際に、例えば、「４」の数字が付されたタブＴが追加される。このように、本実施形態では、下位の階層に進むに従って、タブＴが追加される。
【０１６２】
尚、第１の実施形態と同様に、何れかのタブＴが押下されれば、押下されたタブＴに対応する階層の画面が表示される。言い換えると、タブＴが押下されると、液晶表示部１１は、押下されたタブＴに対応する画面に表示を切り替える。例えば、図１４の例で言えば、設定画面ＤＳが表示された状態で、数字の「１」が付されたタブＴが押下されると、初期画面Ｄ４が表示される。
【０１６３】
本実施形態の操作パネル１、複合機１００は、実行可能な複数種の機能を設定項目として表示する表示部（液晶表示部１１）と、設定項目を選択する入力や、表示部の表示内容に対する入力を受け付ける入力部（タッチパネル部１２等）と、表示部で表示を行うための画像データを少なくとも記憶する記憶部（記憶装置９２、メモリ１０１）と、入力部への入力を把握し、表示部の表示を制御する表示制御部１０と、を備え、表示制御部１０は、設定項目内の設定済みの階層を示すタブＴを、階層順に並べて表示部に表示させ、入力部によりタブＴを選択する入力が受け付けられると、タブＴに対応する画面を表示部に表示させる。
【０１６４】
このようにして、本実施形態の構成によれば、設定項目内の設定済みの階層を示すタブＴが、階層順に並べて表示部（液晶表示部１１）に表示され、タブＴを選択する入力が受け付けられると、タブＴに対応する設定画面ＤＳが表示される。これにより、今まで遷移した階層数を把握することができる。従って、設定の全体像や、階層の上下における現在位置の把握が容易となる。又、タブＴの選択入力だけで、変更を意図する設定（階層）の設定画面ＤＳに飛ぶことができる、設定内容の変更における利便性を向上させることができる。
【０１６５】
以下、他の実施形態について説明する。上述の実施形態では、主に、コピーに関するワークフローについて説明した。しかし、複合機１００でいえば、画像読取部３で読み取った画像データのコンピュータ２００への送信や、記憶装置９２のＨＤＤへの送信や、画像データを添付したＥメールの送信や、ＦＡＸ送信のためのワークフローなど、本発明は、送信の目的のためのワークフローの設定や作成にも適用できる。
【０１６６】
又、本発明の実施形態を説明したが、本発明の範囲はこれに限定されるものではなく、発明の主旨を逸脱しない範囲で種々の変更を加えて実施することができる。
【産業上の利用可能性】
【０１６７】
本発明は、操作パネル等の表示部と入力部を有する表示入力装置や、画像形成装置に利用可能である。
【符号の説明】
【０１６８】
１      操作パネル（表示入力装置）      １０    表示制御部
１０１  メモリ（記憶部）                １１    液晶表示部（表示部）
１２    タッチパネル部（入力部）        ９２    記憶装置（記憶部）
１００  複合機（画像形成装置）          Ｔ      タブ
Ｔ０    追加設定用タブ                  ＤＳ（ＤＳ１〜ＤＳ５）  設定画面
【図１】
2011175330.tif 000003
【図２】
2011175330.tif 000004
【図３】
2011175330.tif 000005
【図４】
2011175330.tif 000006
【図５】
2011175330.tif 000007
【図６】
2011175330.tif 000008
【図７】
2011175330.tif 000009
【図８】
2011175330.tif 000010
【図９】
2011175330.tif 000011
【図１０】
2011175330.tif 000012
【図１１】
2011175330.tif 000013
【図１２】
2011175330.tif 000014
【図１３】
2011175330.tif 000015
【図１４】
2011175330.tif 000016